(57)【要約】  【課題】  身近な携帯電話を利用することにより、クライアントの照会に答えて撮影画像に関するより多くの注釈情報を表示でき、記録保存も可能な情報提供システムを提供する。【解決手段】公衆回線から画像データと文字データとを受信する受信手段５とを有する通信手段と、光学像を前記画像データに変換する撮像手段と前記撮像手段の位置を測定する位置測定手段と、前記画像データと前記位置とを送信する送信手段とを有する観察手段１，２，３と、複数の標本画像と前記標本画像に付随する情報とを格納するデータベース手段と、前記観察手段から前記位置と前記画像データとを受信し、前記標本画像の中から受信した前記画像データに対応する前記標本画像と前記付随情報とを検索する検索手段と前記検索手段により検索された前記付随情報を前記通信手段及び前記観察手段の少なくとも一方に送信する送信手段とを有するサーバー手段７とを備える。【選択図】  図１
2006350879.tif 000002
【特許請求の範囲】
【請求項１】
公衆回線から画像データと文字データとを受信する受信手段とを有する通信手段と、
光学像を前記画像データに変換する撮像手段と前記撮像手段の位置を測定する位置測定手段と、前記画像データと前記位置とを送信する送信手段とを有する観察手段と、
複数の標本画像と前記標本画像に付随する情報とを格納するデータベース手段と、
前記観察手段から前記位置と前記画像データとを受信し、前記標本画像の中から受信した前記画像データに対応する前記標本画像と前記付随情報とを検索する検索手段と前記検索手段により検索された前記付随情報を前記通信手段及び前記観察手段の少なくとも一方に送信する送信手段とを有するサーバー手段と
を備えることを特徴とする情報提供システム
【請求項２】
請求項１の送信手段は、前記付随情報を前記通信手段と前記観察手段とに送信することを特徴とする情報提供システム。
【請求項３】
請求項１の送信手段は、前記付随情報と前記画像データとの両方を前記通信手段及び前記観察手段の少なくとも一方に送信することを特徴とする情報提供システム。
【請求項４】
請求項１の観察手段は、前記通信手段のアドレスを入力する入力手段（赤外線通信）と、前記アドレスを前記サーバー手段に送信するアドレス送信手段とを更に備えることを特徴とする情報提供システム
【請求項５】
請求項４のサーバー手段は、前記アドレスを受信するアドレス受信手段を更に備え、前記送信手段は前記アドレスに前記付随情報を送信することを特徴とする情報提供システム。
【請求項６】
請求項１の観察手段は、双眼鏡であることを特徴とする情報提供システム
【請求項７】
請求項１の観察手段は、観光望遠鏡であることを特徴とする情報提供システム。
【請求項８】
請求項１の観察手段は、電子カメラであることを特徴とする情報提供システム。
【発明の詳細な説明】
【技術分野】
【０００１】
本発明は、ネットワークを介し画像注釈サーバーに接続し、使用者からの位置情報に基づいて蓄積されている景観に関する注釈情報を検索し、使用者が指定した景観画像の検索、景観の特定及び特定された対象物に関する詳細情報を提供する情報提供システムに関する。
【背景技術】
【０００２】
従来、景観観察などの道具として、双眼鏡その他の望遠光学機器がよく知られている。  最近、観察対象物を認識する機能が搭載された光学機器が数多く提案されている。例えば、特許文献１、２などが知られている。これら認識機能付きの光学機器は次のような基本動作を行う。観察された特定の対象物を撮像し、撮像された特定画像を画像データベースサーバーへ送信し、データベースサーバーでは特定画像に基づいて対象物を認識特定し、その特定対象物に関する情報を光学機器のディスプレイ上に表示する。
【発明の開示】
【発明が解決しようとする課題】
【０００３】
しかしながら、これら従来提案されている情報提供システムに用いられている観察機器は、対象物を画像として撮像する、画像処理して対象物を認識する、得られた特定画像を画像データバースサーバーへ送信し、返信された特定画像に関する詳細情報をディスプレイ上に表示するというものである。これら従来の観察機器の中でもとりわけ双眼鏡機器では、使用者が観察中の対象物について詳しく調べようとした場合、注釈サーバーから送信されてくる特定された対象物の詳細情報を双眼鏡機器のディスプレイ上に表示することは表示文字数の制約により多くの文字情報表示が出来ないという問題があった。また、たとえ双眼鏡に文字表示することができても、双眼鏡を把持しながら多くの文字を読むことは出来ない。さらに、従来の双眼鏡にはこれら受信した情報を記録する機能やモニター機能の制約により、受信した情報を再生表示するには十分ではないという問題がある。
【０００４】
また、電子カメラのＣＤモニターに文字情報を表示する場合、そのＬＣＤモニターの解像度は低いので表示された文字を判読しずらいという問題がある。
そこで、本発明の目的は、身近な携帯電話を利用することにより、クライアントの照会に答えて撮影画像に関するより多くの注釈情報を表示でき、記録保存も可能な情報提供システムを提供する。
【課題を解決するための手段】
【０００５】
上記課題を解決するために、本発明の請求項１は、公衆回線から画像データと文字データとを受信する受信手段とを有する通信手段と、光学像を前記画像データに変換する撮像手段と前記撮像手段の位置を測定する位置測定手段と、前記画像データと前記位置とを送信する送信手段とを有する観察手段と、複数の標本画像と前記標本画像に付随する情報とを格納するデータベース手段と、前記観察手段から前記位置と前記画像データとを受信し、前記標本画像の中から受信した前記画像データに対応する前記標本画像と前記付随情報とを検索する検索手段と前記検索手段により検索された前記付随情報を前記通信手段及び前記観察手段の少なくとも一方に送信する送信手段とを有するサーバー手段とを備えることを特徴とする。
【発明の効果】
【０００６】
本発明の請求項１によれば、身近な携帯電話を用いることにより、クライアントの照会に答えて撮影画像に関するより多くの注釈情報を表示することができ、それら注釈情報の記録保存も可能となった。
【発明を実施するための最良の形態】
【０００７】
本実施形態の構成について説明する。
図１は、本実施形態における情報提供のシステム構成を示す図である。  図１において、インターネット４には、画像注釈サーバー７が接続される。また、インターネット４には電話回線網６が接続されている。この画像注釈サーバー７では、サーバーエンジン８により、図鑑照合動作が実行される。画像注釈サーバー７は、次の様な構成である。
【０００８】
1)サーバーエンジン８：インターネット４を介して、後述の双眼鏡１、観光望遠鏡２、電子カメラ３と送受信を行い、照会要求の分析、検索作業の制御、および照会結果の返送などを行う制御システム。サーバーエンジン８はメール送信システム１３を備え、電話回線網６を介して携帯電話５へのメール返送を行う。2)標本データベース９：事物の形態情報および注釈情報などを記録管理するデータベース。形態情報には、事物の標本画像や、事物が発する音や鳴き声などの音情報も含まれる。3)登録情報データベース１０：クライアントの登録情報を記録管理するデータベース。クライアントは、画像注釈サーバー７と交信する装置の総称で、双眼鏡１，観光望遠鏡２、電子カメラ３、携帯電話５が含まれる。4)シミュレーションシステム１１：座標データをレンダリングして、ＣＧ画像を作成するシステム。
【０００９】
5)パターン認識システム１２：クライアントから送信された撮影画像と、標本画像（またはＣＧ画像）とを照合して、適合の度合いを評価するシステム。さらに、クライアントから送信された音情報と、標本データベース９の形態情報に含まれる音情報との適合の度合いも評価するシステムでもある。
【００１０】
図２は、双眼鏡１の構成ブロック図である。双眼鏡１では、景観案内動作が実行される。
図２において、双眼鏡１は、対物レンズ２０を備えている。ＭＰＵ３０は、レンズ駆動機構２０ａを介して対物レンズ２０のズーム操作および焦点操作が行う。この対物レンズ２０の像空間には、撮像素子２１の受光面が配置される。この撮像素子２１には、撮影ドライバ２２ａから駆動パルスが供給される。この撮像素子２１の画像出力は、画像処理回路２２ｂを介して、フレームメモリ２３および表示回路２５に供給される。
【００１１】
この表示回路２５は、左右のＬＣＤ（liquid crystal display）２６ａ，２６ｂにフレームメモリ２３の内容とＭＰＵ３０が出力するデータを表示する。使用者は、これらＬＣＤ２６ａ、２６ｂの画面を、左右の接眼レンズ２７ａ、２７ｂを介して観察する。  また、双眼鏡１には、所定の基線長を離して、２つのＧＰＳ（global positioning system）アンテナ２８ａ、２８ｂが配置される。これらＧＰＳアンテナ２８ａ、２８ｂの出力は、測位回路２９で処理された後、ＭＰＵ３０に供給される。
【００１２】
さらに、ＭＰＵ３０には、照会スイッチ３１、観察スイッチ３２及びアドレス取得スイッチ３３がそれぞれ接続される。これらは、双眼鏡１のグリップ付近に配置される。  また、ＭＰＵ３０には、赤外線通信回路３４，通信回路３５が接続される。この赤外通信回路３４は携帯電話５との近距離通信を行う。また、通信回路３５は、近くの基地局と無線交信することによって、インターネット４への接続を実現する。
【００１３】
さらに、ＭＰＵ３０には、ＩＤメモリ２４が接続される。このＩＤメモリ２４は、製品ＩＤなどの双眼鏡１を特定する固有情報が不揮発記録される。  その他、ＭＰＵ３０には、上述したレンズ駆動機構２０ａ、撮影ドライバ２２ａ、フレームメモリ２３および表示回路２５なども接続される。  なお、ＭＰＵ３０は、景観案内動作と画像照会動作を行うためのプログラムを格納したＲＯＭを内蔵する。
【００１４】
図３は、本実施形態における観光望遠鏡２の構成ブロック図である。  観光望遠鏡２では、景観案内動作が実行される。双眼鏡１に対する観光望遠鏡２の構成上の特徴点は、次の点である。
1)ＧＰＳアンテナ２８を一つだけ備える。なお、このＧＰＳアンテナ２８は、観光望遠鏡２の設置位置を画像注釈サーバー７に適時に自動登録するためのものであり、設置者などがこの設置位置を別途登録する場合には省略できる。
2)観光望遠鏡２の撮影方向（観察方向）を検出するため、観光望遠鏡２の回転角度を東西南北などの方角に変換できる支柱エンコーダ３７を備える。
3)照会スイッチ３１が、両手を離さず操作できるように、支柱の接地面付近にフットスイッチとして配置される。
4)起動スイッチを兼ねる集金ユニット３８と、使用時間を計測するタイマー３６を備える。
【００１５】
なお、その他の構成要件については、双眼鏡１（図２）と同一であるため、同じ参照番号を付与して図３に示し、ここでの説明を省略する。
図４は、本実施形態における電子カメラ３の構成ブロック図である。
【００１６】
双眼鏡１に対する電子カメラ３の構成上の特徴点は、次の点である。電子カメラ３では、景観案内動作が実行される。
1)観察スイッチ３２に代えて、レリーズ釦３９を備える。2)撮影画像を保存するためのメモリカード４０を備える。
3)表示回路２５は、電子カメラ３の背面に配置されたＬＣＤモニタ４１に画像処理回路２２ｂの出力またはＭＰＵ３０の出力を表示する。
【００１７】
なお、その他の構成要件については、双眼鏡１（図２）と同一であるため、同じ参照番号を付与して図４に示し、ここでの説明を省略する。  続いて、本実施形態における画像照会の動作を、双眼鏡１、観光望遠鏡２、および電子カメラ３、携帯電話５の順に説明する。
【００１８】
《双眼鏡１の動作説明》
図５は、双眼鏡１の景観案内動作を説明する流れ図である。  以下、図５のステップ番号に沿って動作説明を行う。双眼鏡１の図示しない電源が投入されると、図５に示す流れ図が実行される。
【００１９】
［ステップＳ１］  ＭＰＵ３０は、撮像ドライバ２２ａを介して撮像素子２１を定期的に駆動し、撮像素子２１は被写体を繰り返し撮像する。この撮影素子２１の出力は、画像処理回路２２ｂで処理された後、表示回路２５によって左右のＬＣＤ２６ａ、２６ｂにリアルタイムに動画表示される（ファインダモード）。
［ステップＳ２］  ＭＰＵ３０は、照会スイッチ３１が押されるまで、ステップＳ１のファインダモードを継続する。  この状態で、使用者は、被写体を左ＬＣＤ２６ａと右ＬＣＤ２６ｂ上に観察することができる。この観察中に所望の検索対象が現れると、使用者は、図６Ａに示すように検索対象を案内マーカー６１に合わせて、照会スイッチ３１を押す。  このように照会スイッチ３１が押されると、ＭＰＵ３０はステップＳ３に動作を移行する。
【００２０】
［ステップＳ３］  ＭＰＵ３０は、撮像素子２１の出力をフレームメモリ２３に１画面分だけ蓄積する。さらに、ＭＰＵ３０は、表示回路２５を制御して、フレームメモリ２３中の内容を左右のＬＣＤ２６ａ、２６ｂに表示する。その結果、使用者が照会スイッチ３１を押した時点で、左右のＬＣＤ２６ａ、２６ｂの表示画像は静止する（以下、この状態を『フリーズ状態』という）。
【００２１】
［ステップＳ４］  ＭＰＵ３０は、測位回路２９を用いてＧＰＳアンテナ２８ａ、２８ｂの現在位置（経度、緯度および標高）をそれぞれ測位する。ＭＰＵ３０は、この２つの現在位置に基づいて、現時点の撮影位置および撮影方向を決定する。  なお後述するように、画像注釈サーバー７側では、この撮影位置および撮影方向が画像照合技術を用いて修正される。したがって、ここでのＧＰＳアンテナ２８ａ、２８ｂの現在位置の精度は、画像注釈サーバー７側において修正可能な範囲の測位精度を有すれば足りる。
［ステップＳ５］  ＭＰＵ３０は、レンズ駆動機構２０ａから対物レンズ２０のレンズ位置を取得し、対物レンズ２０の現時点の撮影画角（双眼鏡における実視界）を求める。また、ＭＰＵ３０は、ＩＤメモリ２４から双眼鏡１の固有の製品ＩＤを取得する。
【００２２】
［ステップＳ６］ＭＰＵ３０は、アドレス取得スイッチ３３が押されるのを待つ。この間、ＭＰＵ３０は
(5)撮影日時
(6)撮影番号
(7)フリーズ状態のフレームメモリ２３の内容
(8)検索対象の大まかな種類
(9)被写体距離（レンズ駆動機構２０ａからピント調節に関するレンズ位置を取得する。ＭＰＵ３０は、このレンズ位置に基づいて、予め作成されたレンズ位置と被写体距離との対応テーブルを参照し、被写体距離を算出する）
(10)携帯電話アドレス
を取得する。なお、ＭＰＵ３０は、通信環境や画像注釈サーバー７側のデータ要求仕様に応じて、上記(5)〜(10)のデータ群を適宜に取捨選択して送信データを作成する。  ＭＰＵ３０は、通信回路３５を制御して、この送信データをインターネット４を経由して画像注釈サーバー７へ送信する。
【００２３】
［ステップＳ９］  画像注釈サーバー７側では、図鑑照合動作、および照会結果を返送する処理が行われる。  この間、ＭＰＵ３０は、表示画面に『照会中』などの表示をオーバーラップ表示しつつ、照会結果の返送を待機する。  ＭＰＵ３０は、インターネット４を経由して照会結果を受信すると、ステップＳ１０に動作を移行する。
【００２４】
［ステップＳ１０］  ＭＰＵ３０は、照合結果の中から、情報の画面表示条件を取り出す。この画面表示条件は、図６Ｂに示すポインタ６２が指し示す画面上の位置や表示ダイアログ６３の位置や大きさなど、レイアウトに関するパラメータから構成される。ＭＰＵ３０は、この画面表示条件に従って、照会結果中の注釈情報などをレイアウトした画像を作成し、フリーズ状態の表示画像にオーバーラップ表示する（景観案内モード）。注釈情報は、この表示ダイアログ６３の内側に表示される。
【００２５】
［ステップＳ１１］  ＭＰＵ３０は、観察スイッチ３２が押されるまで、この表示画面（図６Ｂ）を継続する。  使用者は、この表示画面を見ることにより、検索対象の名称などを知ることができる。その後、使用者が、観察スイッチ３２を押すと、ＭＰＵ３０は、ステップＳ１に動作を戻して、ファインダモードを再開する。  上述した一連の動作により、双眼鏡１による景観案内動作が完了する。
【００２６】
《観光望遠鏡２の動作説明》
双眼鏡１に対する観光望遠鏡２による景観案内動作の特徴は、次の点である。
1)観光望遠鏡２の撮影位置は、画像注釈サーバー７の登録情報データベース１０に事前登録されている。そのため、画像照会にあたって、撮影位置の測位および送信は省略される。
2)観光望遠鏡２の撮影方向は、支柱エンコーダ３７によって検出され、画像注釈サーバー７へ送信される。
3)観光望遠鏡２は、集金ユニット３８への料金投入を契機に図５の動作を開始する。動作中は、タイマー３６による使用時間の計時が行われる。観光望遠鏡２は、この使用時間が所定時間を経過した時点で図５の動作を停止する。なお、画像注釈サーバー７から照会結果の返送を待っている期間中は、使用時間の計時を停止することが好ましい。このような動作により、照会結果が返送する前に観光望遠鏡２が停止してしまうという不具合を防ぐことができる。
【００２７】
なお、その他の動作については、双眼鏡１の動作（図５）と同一であるため、ここでの説明を省略する。
《電子カメラ３の動作説明》
双眼鏡１に対する電子カメラ３による景観案内動作の特徴は、次の点である。
1)ＭＰＵ３０は、レリーズ釦３９の操作に応じて、撮像素子２１の出力をメモリカード４０に記録する。この記録動作の時点から所定時間内に照会スイッチ３１が押された場合、電子カメラ３は、画像注釈サーバー７にメモリカード４０の内容を送信する。
2)メモリカード４０の内容をＬＣＤモニタ４１表示している時に、照会スイッチ３１が押された場合、ＭＰＵ３０は、画像注釈サーバー７にメモリカード４０の内容を送信する。    
【００２８】
なお、その他の動作については、双眼鏡２１の動作（図５）と同一であるため、ここでの説明を省略する。
《画像注釈サーバー７の動作説明》
図８および図９は、画像注釈サーバー７の図鑑照合動作を説明する流れ図である。  以下、図８および図９のステップ番号に沿って、図鑑照合動作を説明する。
［ステップＳ３１］  サーバーエンジンは、クライアントの送信データを受信する。
［ステップＳ３２］  サーバーエンジン８は、クライアントの送信データに基づいて、照合方法を決定する。例えば、サーバーエンジン８は、クライアントからの景観の画像照会に応じてＣＧ画像を使用した照合方法を選択し、ステップＳ３３に動作を移行する。また、サーバーエンジン８は、野鳥等の画像照合に応じて標本画像を使用した照合方法を選択し、ステップＳ５１に動作を移行する。
【００２９】
［ステップＳ３３］  サーバーエンジン８は、送信データから製品ＩＤを取り出す。サーバーエンジン８は、この製品ＩＤをキー情報として登録情報データベース１０内を検索し、下記のような登録済みデータを取得する。
1)製品ＩＤ（キー情報）
2)製品情報
3)位置情報
4)料金請求のための情報（口座番号、クレジット番号、プリペイド情報など）  この製品情報が、双眼鏡１や電子カメラ３であった場合、サーバーエンジン８はステップＳ３４に動作を移行する。一方、観光望遠鏡２であった場合、サーバーエンジン８はステップＳ３５に動作を移行する。
【００３０】
［ステップＳ３４］  サーバーエンジン８は、クライアントの送信データから撮影位置を取り出す。サーバーエンジン８は、この撮影位置の付近の地図情報（３次元の座標データ）を標本データベース９内から取得する。サーバーエンジン８は、この撮影位置および地図情報をシミュレーションシステム１１に与える。その後、サーバーエンジン８は、ステップＳ３５に動作を移行する。
【００３１】
［ステップＳ３５］  サーバーエンジン８は、クライアントの登録済みデータから撮影位置を取り出す。サーバーエンジン８は、この撮影位置の付近の地図情報（３次元の座標データ）を標本データベース９内から取得する。サーバーエンジン８は、この撮影位置および地図情報をシミュレーションシステム１１に与える。
【００３２】
［ステップＳ３６］  サーバーエンジン８は、クライアントの送信データから撮影方向および撮影画角を取り出し、シミュレーションシステム１１に与える。シミュレーションシステム１１では、撮影位置を視点（カメラ位置）とし、撮影方向を注視方向とし、かつ撮影画角内を注視範囲するというシミュレーション条件で、地図情報からＣＧ画像を作成する。なお、動物や花のように事前に位置を特定できない検索対象の場合には、送信データ中の被写体距離をシミュレーション条件に含めることが好ましい。
【００３３】
［ステップＳ３７］  サーバーエンジン８は、クライアントの送信データから撮影画像を取り出し、パターン認識システム１２に与える。撮像画像は、送信データに含まれるフレームメモリ２３の内容とメモリカード４０のないようの総称である。パターン認識システム１２は、シミュレーションシステム１１からＣＧ画像を取得し、撮影画像とＣＧ画像とを画像照合し、適合度を評価する。  パターン認識システム１２は、この適合度を、予め実験的に定めた合格点と比較する。ここで、適合度が所定の合格点に達しない場合、パターン認識システム１２は、両画像の位置ずれを求めて撮影方向（または撮影位置）の修正値を算出する。また、パターン認識システム１２は、両画像の倍率差を求めて撮影画角（または撮影位置）の修正値を算出する。  パターン認識システム１２は、これらの修正値をシミュレーションシステム１１に伝達し、ＣＧ画像作成条件のやり直しを命ずる。このようなＣＧ画像の作成条件の調整作業は、適合度が合格点に達するまで繰り返される。    
【００３４】
このようにして適合度が合格点に達すると、シミュレーションシステム１１は、注視方向に従って地図情報中を視線追跡し、撮影画像の中心近辺に位置する景観を特定する。
［ステップＳ３８］  サーバーエンジン８は、特定された景観に関連づけられた注釈情報を、標本データベース９から読み出す。
【００３５】
［ステップＳ３９］  サーバーエンジン８は、クライアントの製品情報ごとに予め定められた画面レイアウトに当てはめて、注釈情報の画面表示条件を決定する。なお、特定された景観が撮影画像の中心からずれている場合、サーバーエンジン８は、図６Ｂに示すポインタ６２の表示位置をその分だけ修正する。  このように求めた注釈情報および画面表示条件をまとめて、次のようなデータ群からなる返送データを作成する。
1)景観の名称
2)景観の説明情報（注釈情報）
3)景観の標本画像
4)景観のＣＧ画像
5)撮影位置から景観までの距離
6)撮影位置から景観までの標準的な所要時間
7)撮影位置から景観までの経路情報
8)画面表示条件
9)撮像画像
なお、サーバーエンジン８は、クライアントの通信環境やデータ要求に応じて、上記データ群を適宜に取捨選択して返送データを作成する。
【００３６】
［ステップＳ４０］  サーバーエンジン８は、作成した返送データを照会結果として、クライアントへ送信する。送信元は、クライアントの中のいずれか１つであるが、送信元を双眼鏡１，観光望遠鏡２、電子カメラ３とする場合には、携帯電話５にも照会結果を送信するのが望ましい。サーバーエンジン８が携帯電話に送信する場合は、携帯電話５のメールアドレスに送信する。図７は、携帯電話のディスプレイ画面に表示された返送された照会結果の一例を示す。携帯電話５への返送データには文字情報の本文と本文に添付される画像情報が含まれる。本文には撮影日時、撮影場所、撮影方向、景観名、景観説明（注釈情報）が含まれ、画像情報は撮像画像である。
【００３７】
上述した一連のステップＳ３１〜Ｓ４０により、画像注釈サーバー７による景観案内の動作が完了する。
［ステップＳ５１］  サーバーエンジン８は、クライアントの送信データから制限条件を取り出し、標本データベース９の検索範囲を制限する。
【００３８】
ここで使用される制限条件としては、例えば下記の条件が使用される。
1)検索対象の種類
2)撮影画像の撮影位置
3)撮影画像の撮影方向
4)撮影画像の撮影画角
5)撮影画像の撮影日付
6)撮影画像の撮影時刻
7)撮影画像の撮影季節
8)検索対象の音情報
［ステップＳ５２］  サーバーエンジン８は、撮影画像をパターン認識システム１２に与える。パターン認識システム１２は、この撮影画像と標本データベース９内の標本画像とを順次に照合し、適合度の一番高い事物を特定する。なお、クライアントから音情報が送信された場合には、パターン認識システム１２は、この音情報と標本データベース９内の音情報との照合を行い、検索精度向上および検索時間の短縮を図る。
［ステップＳ５３］  サーバーエンジン８は、特定された事物に関連づけられた注釈情報を、標本データベース９から読み出す。
【００３９】
［ステップＳ５４］  サーバーエンジン８は、注釈情報の画面表示条件を決定し、次のようなデータ群からなる返送データを作成する。
1)事物の名称
2)事物の説明情報（注釈情報）
3)事物の標本画像
4)事物のＣＧ画像
5)画面表示条件
6)撮像画像
なお、サーバーエンジン８は、クライアントの通信環境やデータ要求に応じて、上記データ群を適宜に取捨選択して返送データを作成する。
［ステップＳ５５］  サーバーエンジン８は、作成した返送データを照会結果として、クライアントへ送信する。送信先と携帯電話５への返送データは、ステップＳ４０の場合と同様である。
【００４０】
上述した一連のステップＳ５１〜Ｓ５５により、画像注釈サーバー８による図鑑照合の動作が完了する。
《携帯電話５の動作説明》
図１０は携帯電話５の動作の流れ図である。  以下、図１０のステップ番号に沿って動作説明を行う。
［ステップＳ６１］携帯電話５のメール通信回路（不図示）にて注釈サーバー７にて送信された返送データを受信する。
［ステップＳ６２］  クライアント（双眼鏡１、観光望遠鏡２、電子カメラ３）に返送データが着信したことを通知する。
［ステップＳ６３］  返送データを携帯電話内のメモリに記憶し、写真が添付されたメールを表示する操作がされると、返送データを表示画面に表示する。
【図面の簡単な説明】
【００４１】
【図１】本実施形態における画像注釈サーバー１２のシステム構成を示す図である。
【図２】本実施形態における双眼鏡１の構成ブロック図である。
【図３】本実施形態における  観光望遠鏡２の構成ブロック図である。
【図４】本実施形態における電子カメラ３の構成ブロック図である。
【図５】双眼鏡１による画像照会の動作を説明する流れ図である。
【図６】クライアントの表示画像を説明する図である。
【図７】携帯電話５のディスプレイ上に表示された注釈サーバーから返信されたにおける検索結果内容
【図８】画像注釈サーバー７による景観案内の動作を説明する流れ図である。
【図９】画像注釈サーバー７による図鑑照合の動作を説明する流れ図である。
【図１０】携帯電話５の動作を説明する流れ図である。
【符号の説明】
【００４２】
１  双眼鏡
２  観光望遠鏡
３  電子カメラ
４  インターネット
５  携帯電話
６  電話回線網
７  画像注釈サーバー
８  サーバーエンジン
９  標本データベース
１０  登録情報データベース
１１  シミュレーションシステム
１２  パターン認識システム
２０  対物レンズ
２０ａ  レンズ駆動機構
２１  撮像素子
２２ａ  撮影ドライバ
２２ｂ  画像処理回路
２３  フレームメモリ
２４  ＩＤメモリ
２５  表示回路
２６ａ、２６ｂ  ＬＣＤ
２８ａ，２８ｂ  ＧＰＳアンテナ
２９  測位回路
３０  ＭＰＵ
３１  照会スイッチ
３２  観察スイッチ
３５  通信回路
【図１】
2006350879.tif 000003
【図２】
2006350879.tif 000004
【図３】
2006350879.tif 000005
【図４】
2006350879.tif 000006
【図５】
2006350879.tif 000007
【図６】
2006350879.tif 000008
【図７】
2006350879.tif 000009
【図８】
2006350879.tif 000010
【図９】
2006350879.tif 000011
【図１０】
2006350879.tif 000012